(57)【特許請求の範囲】
【請求項１】
肛門から大腸内視鏡のスコープ管を挿入して行われる大腸内視鏡検査を受ける患者が着用する大腸内視鏡検査用穴あきパンツにおいて、肛門に対応する箇所に大腸内視鏡のスコープ管が挿入されるパンツ側開口が開設されたパンツ本体と、このパンツ本体の前記パンツ側開口を覆うように内面側に装着された防護体とを具備しており、前記防護体は、前記パンツ側開口と連通する箇所に防護体側開口が開設されており、液体、排泄物等を吸収する第１層と、微粒子を捕集する第２層との二層構造になっていることを特徴とする大腸内視鏡検査用穴あきパンツ。
【請求項２】
前記防護体は、シート状に形成されていることを特徴とする請求項１記載の大腸内視鏡検査用穴あきパンツ。
【請求項３】
前記防護体は、少なくとも臀部を覆うサイズであることを特徴とする請求項１又は２記載の大腸内視鏡検査用穴あきパンツ。
【請求項４】
前記防護体は、前記第１層が患者の臀部に接するように配置されていることを特徴とする請求項１、２又は３記載の大腸内視鏡検査用穴あきパンツ。
【請求項５】
前記防護体には、臀部に密着させる粘着手段が設けられていることを特徴とする請求項１、２、３又は４記載の大腸内視鏡検査用穴あきパンツ。
【請求項６】
前記パンツ側開口と防護体側開口との少なくとも一方には、挿入された大腸内視鏡のスコープ管に密着する弁体が設けられていることを特徴とする請求項１、２、３、４又は５記載の大腸内視鏡検査用穴あきパンツ。
【請求項７】
肛門から大腸内視鏡のスコープ管を挿入して行われる大腸内視鏡検査を受ける患者が着用する大腸内視鏡検査用穴あきパンツのパンツ本体の内面側に装着可能な大腸内視鏡検査用穴あきパンツ用防護体において、パンツ本体のパンツ側開口と連通する箇所に防護体側開口が開設されており、液体、排泄物等を吸収する第１層と、微粒子を捕集する第２層との二層構造になっていることを特徴とする大腸内視鏡検査用穴あきパンツ用防護体。
【発明の詳細な説明】
【技術分野】
【０００１】
本発明は、大腸癌スクリーニング及び精査等の検査や治療で行われる大腸内視鏡検査の際に患者が着用する大腸内視鏡検査用穴あきパンツと、大腸内視鏡検査用穴あきパンツに装着可能な大腸内視鏡検査用穴あきパンツ用防護体とに関する。
【背景技術】
【０００２】
大腸内視鏡検査は、肛門からスコープ管を挿入して大腸内部の状況を調べる検査であり、大腸内に排泄物があると正確な状況を調べることができないので、前処理として下剤、腸管洗浄剤を服用し大腸内の排泄物を出してから行う。
この大腸内視鏡検査では、大腸内の状況の把握が容易になるように、またスコープ管をスムーズに動かすことができるように若干の空気や洗浄水を送り込みながら行われる。
前処理が不十分な患者、下血等で緊急を要する患者の場合には、大腸内に排泄物が残置されていることがあるので、検査中に大腸内に送り込まれる空気等と一緒に大腸内の排泄物や血液、ガス等（以下、排泄物等とする）が勢いよく体外に放出されることがある。
【０００３】
大腸内視鏡検査に際して、患者は不織布タイプの吸収性のない素材で構成されたトランクス型のパンツを着用する。このパンツには肛門に対応する箇所に大腸内視鏡のスコープ管を挿入するための２０ｃｍ程度の大きさの切れ込みが形成されている。また、このパンツはトランクス型であるため、患者の臀部及び大腿部との間に大きな空間が形成されることになる。
【０００４】
前処理が不十分な患者であったり、緊急を要する患者であった場合には、検査中に送り込まれる空気等と一緒に大腸内の排泄物等が体外に放出され、患者の身体とパンツとの間の空間に流出することがある。この流出だけでも患者にとっては不快である上、前記切れ込みから排泄物等が外部に流出、飛散して検査台、検査周辺機器、医師、看護師にまで付着することもある。
しかも大腸内視鏡検査では大腸内の状況をより把握するために患者自身の体位を変更することがある。その結果、検査台の上に流出・飛散した排泄物等が臀部周囲のみならずパンツで覆われていない背中や腹部にまで付着することがあり大変不快であった。
なお、上述した排泄物等の体外への放出は、前処理が不十分な患者等にのみ発生するものではなく、十分な前処理を行っていた患者にも生じることがある。
【０００５】
排泄物等の流出は、患者にとって不快であるだけでなく、大腸内視鏡検査後の検査台等の検査機器、検査を行った医師、看護師等に便中に排泄される細菌や新型コロナウィルス感染症等の感染を引き起こすことがありえるだけでなく、洗浄や消毒という作業が必要になる。
【０００６】
かかる問題を解消するために、特開２０１４−２３７９１３号公報では『吸収性のある素材の下着型パンツの後面に、大腸内視鏡検査用スコープ管が出し入れできる程度の切口を設け、切口周りを補強し、下着型パンツ大腿部は伸縮性のある排泄物流出防止用テープとギャザーを施した大腸内視鏡検査用パンツ。』が開示されている。
【０００７】
【特許文献１】特開２０１４−２３７９１３号公報
【発明の開示】
【発明が解決しようとする課題】
【０００８】
この大腸内視鏡検査用パンツは、いわば通常の紙おむつに大腸内視鏡検査用スコープ管が出し入れできる程度の切口を設けたものにすぎない。
このため、この大腸内視鏡検査パンツであると、放出された排泄物等は肛門周囲のみならず臀部全体にまで流出してしまう。
これは、患者にとっても不快であるし、大腸内視鏡検査終了後の清拭の手間もかかってしまう
特に排泄物等にウィルスや寄生虫、細菌、真菌等の病原体が含まれ、これらがエアロゾル化する場合には、排泄物等の流出、飛散による検査医師や看護師への感染や清拭の際に病原体が容易に検査室内に拡散されて環境汚染を引き起こすおそれがある。
【０００９】
本発明は、上記事情に鑑みて創案されたもので、大腸内視鏡検査に際して、排泄物等が患者の肛門から流出したとしても患者に与える不快感を最小限とするとともに、検査台、検査周辺機器、検査医師、看護師にまで付着するおそれを無くし、しかも排泄物等に病原体が含まれる場合であっても環境汚染を生じさせることがない大腸内視鏡検査用穴あきパンツと、大腸内視鏡検査用穴あきパンツに装着される防護体とを提供することを目的としている。
【課題を解決するための手段】
【００１０】
本発明に係る大腸内視鏡検査用穴あきパンツは、肛門から大腸内視鏡のスコープ管を挿入して行われる大腸内視鏡検査を受ける患者が着用する大腸内視鏡検査用穴あきパンツであって、肛門に対応する箇所に大腸内視鏡のスコープ管が挿入されるパンツ側開口が開設されたパンツ本体と、このパンツ本体の前記パンツ側開口を覆うように内面側に装着された防護体とを備えており、前記防護体は、前記パンツ側開口と連通する箇所に防護体側開口が開設されており、液体、排泄物等を吸収する第１層と、微粒子を捕集する第２層との二層構造になっている。
【発明の効果】
【００１１】
本発明に係る大腸内視鏡検査用穴あきパンツであれば、大腸内視鏡検査中に排泄物等が肛門から流出したとしても防護体によって大腸内視鏡検査用穴あきパンツの外側に漏れ出ることはない。このため、検査中に体位を変えたとしても検査台等の検査機器に付着するおそれは格段に少なくなり、患者に不快感を与えることなく、しかも検査後の清掃、消毒の手間を少なくすることができる。
【００１２】
また、防護体にはウィルスら病原体を低減させる効果を有する素材で構成されるため、排泄物等にウィルス等の病原体が含まれていたとしても大腸内視鏡検査用穴あきパンツの外側に拡散されることがなく環境汚染を防止するので、患者、医師、看護師の安全性を確保することができ、検査後の清掃、消毒の手間を少なくすることができる。
【図面の簡単な説明】
【００１３】
【図１】本発明の実施の形態に係る大腸内視鏡検査用穴あきパンツの要部の概略的断面図である。
【図２】本発明の実施の形態に係る大腸内視鏡検査用穴あきパンツの概略的背面図である。
【図３】本発明の実施の形態に係る大腸内視鏡検査用穴あきパンツを構成するパンツ本体、防護体の位置関係を示す概略的説明図である。
【図４】本発明の実施の形態に係る大腸内視鏡検査用穴あきパンツの防護体の概略的平面図である。
【図５】本発明の実施の形態に係る大腸内視鏡検査用穴あきパンツに大腸内視鏡のスコープ管を挿入した状態を示す概略的断面図である。
【図６】本発明の実施の形態に係る大腸内視鏡検査用穴あきパンツの弁体を示す概略的平面図である。
【発明を実施するための形態】
【００１４】
本発明の実施の形態に係る大腸内視鏡検査用穴あきパンツ１０００は、肛門から大腸内視鏡のスコープ管５００を挿入して行われる大腸内視鏡検査を受ける患者が着用する大腸内視鏡検査用穴あきパンツであって、肛門に対応する箇所に大腸内視鏡のスコープ管５００が挿入されるパンツ側開口１１０が開設されたパンツ本体１００と、このパンツ本体１００の前記パンツ側開口１１０を覆うように内面側に装着された防護体２００とを備えており、前記防護体２００は、前記パンツ側開口１１０と連通する箇所に防護体側開口２３０が開設されており、液体、排泄物等を吸収する第１層２１０と、微粒子を捕集する第２層２２０との二層構造になっている。
【００１５】
まず、この大腸内視鏡検査用穴あきパンツ１０００を構成するパンツ本体１００は、図２に示すように、あらゆる体型の患者に対応可能なように、ウエスト部１２０、ヒップ部１３０、太腿部のわたり１４０は緩やかに構成されており、股下は膝より若干下方になる程度の長さに設定されている。また、ウエスト部１２０はゴム紐等で伸縮自在になっている。
このパンツ本体１００のヒップ部１３０の中心部、すなわち肛門に対応する箇所には縦長のパンツ側開口１１０が開設されている。このパンツ側開口１１０は、あらゆる体型の患者に対応可能なように縦方向に約２０ｃｍの長さに渡って開設されている。
なお、ウエスト部１２０からは、患者の羞恥心の低減のためにパンツ側開口１１０を覆い隠すことができるようなカバー１５０がたれ下げるように設けられている。
また、このパンツ本体１００は、不織布で形成されている。
【００１６】
前記防護体２００は、前記パンツ本体１００の前記パンツ側開口１１０を覆うように内面側に装着される。かかる防護体２００は、少なくとも臀部を覆うサイズであって、シート状に形成されている。
【００１７】
前記防護体２００は、液体、排泄物等を吸収する第１層２１０と、微粒子（ウィルス等の病原体）を捕集する第２層２２０との二層構造になっている。
第１層２１０は、図１に示すように、身体に接触する表面材２１１と、この表面材２１１より外側に位置する吸水材２１２と、この吸水材２１２より外側に位置する防水材２１３とから構成される。
吸水材２１２は、吸水紙、綿状パルプ、高分子吸収材などの組み合わせで構成されており、排泄物等を吸収し易く、一度吸収したら確実に取り込んで後戻りをさせないようになっている。なお、高分子吸収材は自重の５０〜１００倍もの量の水分を吸収し、押してもしみだしにくいという特質を有している。
また、表面材２１１は、患者の肌に直接接触する部分なので、着用中の快適性の向上を主眼に置いてポリエステルやポリプロピレンの不織布などが採用される。この表面材２１１は、排泄物等を素早く吸水材２１２に送り込み、表面材２１１自体は濡れにくくサラッとした状態を維持するようにしている。
さらに、防水材２１３は、防水シートで、排泄物等のもれを防止する。
【００１８】
上述のように構成された第１層２１０には、さらに防護体側開口２３０を構成する第１層側開口２１４が開設されている。
なお、この第１層側開口２１４は、第１層２１０の吸水材２１２からのもれを防止するために、吸水材２１２の貫通部分２１４Ａの側面は防水材２１３によって覆われている。図面では、この第１層側開口２１４は丸穴として表現されているが、この第１層側開口２１４は丸穴に限らずＸ字状やＹ字状、Ｉ字状の切れ込みであってもよい。
【００１９】
また、第１層２１０の表面材２１１の周縁部２１５には、両面粘着テープ２１６が配置されている。この両面粘着テープ２１６は、患者の臀部に防護体２００を密着させる粘着手段である。
【００２０】
さらに、第１層２１０の防水材２１３の周縁部２１７には、両面粘着テープ２１８が配置されている。この両面粘着テープ２１８は、防護体２００をパンツ本体１００に装着させるためのものである。
【００２１】
前記第２層２２０は、医療用のＮ９５マスク等にも使用される不織布で構成される。
このため、第２層２２０は、ウィルス等の病原体を捕集する効果を奏する。
なお、Ｎ９５とは、米国労働安全衛生研究所が制定した呼吸器防護具の規格基準であって、５μｍ以下の飛沫核に付着した病原体を捕集することができるとされている。
【００２２】
この第２層２２０は、パンツ本体１００のパンツ側開口１１０を完全に覆うサイズ、形状に設定されている。従って、この第２層２２０は、第１層２１０より小さいサイズでもよいことになる。
この第２層２２０にも、防護体側開口２３０を構成する第２層側開口２２１が開設されている。第２層２２０は、第２層側開口２２１が第１層２１０の第１層側開口２１４と重なるように、第１層２１０に連結されることになる。
なお、この第２層２２０は、接着剤や接着テープ等の適宜な手段によって第１層２１０に連結されて防護体２００となる。
図面では、この第２層側開口２２１は丸穴として表現されているが、この第２層側開口２２１は丸穴に限らずＸ字状やＹ字状、Ｉ字状の切れ込みであってもよい。
【００２３】
前記防護体側開口２３０は、図４に示すように、防護体２００の中心から一辺側にずれた位置に開設される。
これは、防護体２００をパンツ本体１００に装着した際に、防護体側開口２３０がパンツ本体１００のパンツ側開口１１０と重なるようにするためである。
【００２４】
前記第１層２１０と第２層２２０とからなる防護体２００は、両面粘着テープ２１８によってパンツ本体１００に装着される。
パンツ本体１００に装着された防護体２００の防護体側開口２３０は、パンツ本体１００のパンツ側開口１１０と重なっている。このため、大腸内視鏡のスコープ管５００は、パンツ側開口１１０と防護体側開口２３０とを介して肛門から大腸内部へと挿入できるようになっている。
【００２５】
なお、防護体２００の第１層２１０に設けられている両面粘着テープ２１６によって防護体２００を患者の臀部に密着させる。その際には、防護体側開口２３０が患者の肛門に対応した箇所に位置するように調整することがより良い大腸内視鏡検査のために大切である。
【００２６】
このように構成された大腸内視鏡検査用穴あきパンツ１０００であると、大腸内視鏡検査中に大腸内に送り込まれた空気や洗浄水と一緒に大腸内の排泄物等が体外に放出されたとしても、排泄物や洗浄水等は防護体２００の第１層２１０によって吸収されるし、排泄物等に含まれていた細菌や新型コロナウィルス等の病原体は第１層２１０又は第２層２２０によって吸着され、いずれも大腸内視鏡検査用穴あきパンツ１０００の外に漏れ出ることはない。
【００２７】
なお、上記した実施の形態では、防護体２００は両面粘着テープ２１８によって、パンツ本体１００に装着されるとしたが、接着剤、縫製等の他の適宜な手段によってパンツ本体１００に装着されてもよいことはいうまでもない。
【００２８】
上述した実施の形態に係る大腸内視鏡検査用穴あきパンツ１０００の防護体２００を旧来の大腸内視鏡検査用穴あきパンツ（防護体２００に相当するものがないタイプ）に後付けすると、実施の形態に係る大腸内視鏡検査用穴あきパンツ１０００と同様になる。
なお、この後付けは医療現場で行われることになるので、防護体２００をパンツ本体１００に装着するのは、両面粘着テープを使用するのが接着剤や縫製よりも簡便である。
【００２９】
また、上述した実施の形態に係る大腸内視鏡検査用穴あきパンツ１０００の防護体２００の防護体側開口２３０と大腸内視鏡のスコープ管５００との間には、検査中にスコープ管５００を動かすことによって若干の隙間ができる可能性がある。この隙間から細菌や新型コロナウィルス等の病原体を含んだガスやエアロゾルやガスを含んだ排泄物が漏れ出るおそれもある。
そこで、図５に示すように、防護体側開口２３０を構成する第２層側開口２２１に常時は閉塞しているが、スコープ管５００を挿入することで開き、挿入されているスコープ管５００に密着する弁体２６０を設けることでかかるおそれを低減することができる。
この弁体２６０はシリコンゴム等の柔軟性、伸縮性を有する素材からなる２枚の膜体であり、その一部を重ねた状態で第２層側開口２２１の周縁に装着して構成される。
なお、図６では、作図の都合上、上に位置する右側の弁体２６０の方が若干大きいように描いているが、２枚の弁体２６０が同じ大きであってもよいことはいうまでもない。
また、この弁体２６０は、大腸内視鏡検査用穴あきパンツ１０００に必須のものではなく省略が可能である。
【符号の説明】
【００３０】
１００    パンツ本体
１１０    パンツ側開口
２００    防護体
２３０    防護体側開口
【要約】
【課題】大腸内視鏡検査の際、排泄物や排ガスに含まれるエアロゾルが患者の肛門から流出したとしても患者に与える不快感を最小限にし、検査台、検査周辺機器、検査医師、看護師にまで付着するおそれを無くし、排泄物等に細菌や新型コロナウィルス等の病原体が含まれる場合でも環境汚染を生じさない。
【解決手段】肛門から大腸内視鏡のスコープ管500 を挿入して行われる大腸内視鏡検査を受ける患者が着用する大腸内視鏡検査用穴あきパンツであり、肛門に対応する箇所にスコープ管500 が挿入されるパンツ側開口１１０が開設されたパンツ本体100 と、パンツ本体100 のパンツ側開口110 を覆うように内面側に装着される防護体200 とを備え、防護体200 はパンツ側開口110 と連通する箇所に防護体側開口230 が開設され、吸水性を有し、かつ細菌や新型コロナウィルス等の病原体を低減させる効果を有する素材で構成される。
【選択図】      図１【図１】
0006832027.tif 000002
【図２】
0006832027.tif 000003
【図３】
0006832027.tif 000004
【図４】
0006832027.tif 000005
【図５】
0006832027.tif 000006
【図６】
0006832027.tif 000007